(57)【要約】【課題】側面の一部を折り曲げて水平にすることにより積み重ね容易とするトレーであって、側面の一部を水平に係止するための部材や水平とされた側面の一部が突出して邪魔になることがなく、また、側面の一部を水平に係止するための部材が容易に損傷することがなく、さらには、側面の一部を強く水平に係止することができるものを提供する。【解決手段】一対の側面部２０は、折れ線Ｃ２０を介して下側領域２２と上側領域２４とを有し、上側領域２４は、折れ線Ｃ１１、Ｃ１２側に突出した爪部２４−２を有し、上側領域２４を折れ線Ｃ２０を介して内側に回動させることにより、爪部２４−２が外側片部４４の内側の面に接触し、上側領域２４が底面部１０と略平行な状態で爪部２４−２が外側片部４４の内側の面と係止し、底面部１０と略平行な一対の上側領域２４が、他のトレーの底面部１０を載置するための台部となる。【選択図】図５
2017030850.tif 000002
【特許請求の範囲】
【請求項１】
シート状のブランクにより形成されたトレーであって、
互いに平行な相対する２つの第１辺部（１０ａ、１０ｂ）を有する第１辺部群と、第１辺部と直角をなす互いに平行な他の相対する２つの第２辺部（１０ｃ、１０ｄ）を有する第２辺部群とを有する底面部（１０）と、
２つの第１辺部からそれぞれ第１折れ線（Ｃ１１、Ｃ１２）を介して連設された第１側面部で、第１辺部から連設された下側領域（２２）と、下側領域から第１折れ線と平行な第２折れ線（Ｃ２０）を介して連設された上側領域（２４）とを有する第１側面部（２０）と、
２つの第２辺部からそれぞれ第３折れ線（Ｃ１３、Ｃ１４）を介して連設された第２側面部（３０）と、
第１側面部と第２側面部間に設けられた折込み片部で、第１側面部の下側領域から第４折れ線（Ｃ４１）を介して形成されるとともに第２側面部から第５折れ線（Ｃ４２）を介して形成され、第１辺部と第２辺部とが接する角部から形成された第６折れ線（Ｃ４３）を介して折曲された折込み片部（４０）と、を有し、
上側領域が、第２折れ線よりも第１折れ線側に突出して形成された爪部（２４−２）を上側領域の横方向両側の端部領域に有し、
折込み片部における第６折れ線よりも第４折れ線側の領域である内側片部（４２）が下側領域の外側の面に接着され、折込み片部における第６折れ線よりも第５折れ線側の領域である外側片部（４４）が内側片部に対して折り返されて内側片部の外側に設けられ、
上側領域を第２折れ線を介して下側領域に対して内側に回動させることにより、爪部が外側片部の内側の面に接触し、少なくとも上側領域が底面部と略平行な状態で爪部が外側片部の内側の面と係止し、底面部と略平行な一対の上側領域が、他のトレーの底面部を載置するための台部となることを特徴とするトレー。
【請求項２】
爪部は、第２折れ線の端部と第１側面部の側端の間に形成された切込み（Ｋ１１）を介して下側領域と隣接していることを特徴とする請求項１に記載のトレー。
【請求項３】
第１側面部は、一対の第１側面部間の距離が上方にいくほど長くなるように底面部に対して傾斜して設けられ、第２側面部は、一対の第２側面部間の距離が上方にいくほど長くなるように底面部に対して傾斜して設けられていることを特徴とする請求項１又は２に記載のトレー。
【請求項４】
第２側面部の上辺（３０ｃ）は、第３折れ線と略平行に形成され、第２側面部の上辺は、第２折れ線よりも高さ方向において高い位置に設けられていることを特徴とする請求項１又は２又は３に記載のトレー。
【請求項５】
外側片部は、高さ方向において第２折れ線よりも上側の領域（４４−１）を有していることを特徴とする請求項４に記載のトレー。
【請求項６】
下側領域は、横方向両側に底面部の角部から形成された直線状の辺部（２２ｂ）を有し、第１側面部が第２折れ線を介して折曲されておらず平板状の状態において、上側領域の第２側面部側の辺部（２４ｄ）は、該直線状の辺部の延長線よりも内側に形成されていることを特徴とする請求項１又は２又は３又は４又は５に記載のトレー。
【請求項７】
上側領域の上辺（２４ｆ）は、第２折れ線と平行に形成され、第１側面部が第２折れ線を介して折曲されておらず平板状の状態において、第２側面部の上辺よりも高い位置に形成されていることを特徴とする請求項１又は２又は３又は４又は５又は６に記載のトレー。
【発明の詳細な説明】
【技術分野】
【０００１】
本発明は、紙製のトレーに関するものであり、特に、積み重ねて使用することができる紙製トレーに関するものである。
【背景技術】
【０００２】
従来より、トレーにおいて、側面の一部を折り曲げることにより積み重ねて使用することができるものとして、特許文献１のトレー状容器や特許文献２の段ボール製ケースが存在する。
【０００３】
すなわち、特許文献１のトレー状容器においては、フランジ３を外側に折り曲げることによりフランジ両翼の係止片４が容器の内側に突出し、反発力で内側に戻ろうとする妻板５を内側から係止させるものである。
【０００４】
また、特許文献２の段ボール製ケースにおいては、左右の側板３に接合用フラップ７が接合して設けられ、接合用フラップ７には係止用切欠き９が設けられ、底板支持用棚１０の両端に設けられた係止用つめ１１が係止用切欠き９に係止する。
【先行技術文献】
【特許文献】
【０００５】
【特許文献１】実公昭５６−１４１８０号公報
【特許文献２】特開２０１５−５４７２０号公報
【発明の概要】
【発明が解決しようとする課題】
【０００６】
しかし、特許文献２の段ボール製ケースにおいては、接合用フラップ７における係止用切欠き９の上側部分が露出して突出しているので、該切欠き９の上側部分が損傷しやすく、また、係止用つめ１１は、底板支持用棚１０の両側に露出して突出して形成されているので、損傷しやすく、よって、接合用フラップ７における係止用切欠き９の上側部分と係止用つめ１１の少なくともいずれかが損傷した場合には、底板支持用棚１０を水平に支持することができない。
【０００７】
また、特許文献２の段ボール製ケースにおいては、接合用フラップ７における係止用切欠き９の上側部分や係止用つめ１１が突出して露出して形成されているので、突出した部分が邪魔になるという問題があった。
【０００８】
また、特許文献１のトレー状容器においては、フランジ３の両翼の係止片４と、反発力で内側に戻ろうとする妻板５とを係止させるものであるが、妻板５が内側に戻ろうとする力は強くなく、係止片４と妻板５の係止を強固にすることができない。つまり、係止片４はフランジ３とともにフランジ３と側板２間の折れ線（回動軸）を介して回動し、係止片４と係止する妻板５は該回動軸に対して略直角な面であることから、係止片４の側方と係止することになり、係止片４と妻板５とを強固に係止させることができない。
【０００９】
また、特許文献１のトレー状容器においては、フランジ３を水平にした状態では、フランジ３が外側に突出するので、フランジ３が邪魔になるという問題があった。
【００１０】
そこで、本発明は、側面の一部を折り曲げて水平にすることにより積み重ね可能とするトレーであって、側面の一部を水平に係止するための部材や水平とされた側面の一部が突出して邪魔になることがなく、また、側面の一部を水平に係止するための部材が容易に損傷することがなく、さらには、側面の一部を強く水平に係止することができるものを提供することを目的とする。
【課題を解決するための手段】
【００１１】
本発明は上記問題点を解決するために創作されたものであって、第１には、シート状のブランク（「紙製のシート状のブランク」としてもよい）により形成されたトレー（「紙製トレー」としてもよい。他においても同じ。）であって、互いに平行な相対する２つの第１辺部（１０ａ、１０ｂ）を有する第１辺部群と、第１辺部と直角をなす互いに平行な他の相対する２つの第２辺部（１０ｃ、１０ｄ）を有する第２辺部群とを有する底面部（１０）と、２つの第１辺部からそれぞれ第１折れ線（Ｃ１１、Ｃ１２）を介して連設された第１側面部で、第１辺部から連設された下側領域（２２）と、下側領域から第１折れ線と平行な第２折れ線（Ｃ２０）を介して連設された上側領域（２４）とを有する第１側面部（２０）と、２つの第２辺部からそれぞれ第３折れ線（Ｃ１３、Ｃ１４）を介して連設された第２側面部（３０）と、第１側面部と第２側面部間に設けられた折込み片部で、第１側面部の下側領域から第４折れ線（Ｃ４１）を介して形成されるとともに第２側面部から第５折れ線（Ｃ４２）を介して形成され、第１辺部と第２辺部とが接する角部から形成された第６折れ線（Ｃ４３）を介して折曲された折込み片部（４０）と、を有し、上側領域が、第２折れ線よりも第１折れ線側に突出して形成された爪部（２４−２）を上側領域の横方向両側の端部領域に有し、折込み片部における第６折れ線よりも第４折れ線側の領域である内側片部（４２）が下側領域の外側の面に接着され、折込み片部における第６折れ線よりも第５折れ線側の領域である外側片部（４４）が内側片部に対して折り返されて内側片部の外側に設けられ、上側領域を第２折れ線を介して下側領域に対して内側に回動させることにより、爪部が外側片部の内側の面に接触し、少なくとも上側領域が底面部と略平行な状態で爪部が外側片部の内側の面と係止し、底面部と略平行な一対の上側領域が、他のトレーの底面部を載置するための台部となることを特徴とする。
【００１２】
第１の構成のトレーにおいては、爪部が第１側面部の上側領域に設けられているので、第１側面部が平板状の状態（通常状態）において、爪部が突出して邪魔になることがなく、また、上側領域を底面部と略平行とした場合（積重ね可能状態）でも、爪部は外側領域に内側から接するので、爪部が突出して邪魔になることがない。また、上側領域は、積重ね可能状態では、内側に突出した状態にはなるが、トレーの外側に突出するものではないため、邪魔にはならない。
【００１３】
また、通常状態、積重ね可能状態ともに、爪部が突出して邪魔になることがないので、爪部が容易に損傷することがない。
【００１４】
また、爪部の先端を外側片部の内側の面に係止させることにより、爪部を底面部と略平行に固定するので、爪部を強く固定させることができる。つまり、上側領域は第２折れ線を回動軸として回動し、爪部が係止する外側片部は第２折れ線と略平行な面であることから、爪部の先端（回動軸である第２折れ線の側から見て反対側）が外側片部に係止されるため、爪部の先端と外側片部とを強固に係止させることができる。
【００１５】
なお、上記第１の構成において、爪部は、上側領域が回動させる際に爪部が内側片部に接触しないように、内側片部よりも高さ方向において上側に位置し、爪部は、横方向において、内側片部と対向しないものとするのが好ましい。これにより、上側領域が回動する際に、爪部が内側片部に接触せずに外側片部に接触させることができる。
【００１６】
また、第２には、上記第１の構成において、爪部は、第２折れ線の端部と第１側面部の側端の間に形成された切込み（Ｋ１１）を介して下側領域と隣接していることを特徴とする。よって、下側領域と上側領域とは、第２折れ線と切込みにより区画された構成であるので、通常のトレーと同様の見栄えとすることができ、見栄えが悪くなることがない。
【００１７】
なお、上記第２の構成において、内側片部は、第４折れ線の上端と第６折れ線の上端とを結ぶ直線状の上辺（４２ｂ）を有し、爪部の該切込みに沿った辺部（２４ｂ−２）は、上側領域が回動させる際に爪部が内側片部に接触しないように、該内側片部の上辺よりも高さ方向において上側に位置し、爪部は、横方向において、内側片部と対向しないものとするのが好ましい。これにより、上側領域が回動する際に、爪部が内側片部に接触せずに外側片部に接触させることができる。
【００１８】
また、第３には、上記第１又は第２の構成において、第１側面部は、一対の第１側面部間の距離が上方にいくほど長くなるように底面部に対して傾斜して設けられ、第２側面部は、一対の第２側面部間の距離が上方にいくほど長くなるように底面部に対して傾斜して設けられていることを特徴とする。よって、上側のトレーを下側のトレーに積み重ねる際に上側のトレーの位置を厳密にする必要がなく、トレーを容易に積み重ねることができる。
【００１９】
また、第４には、上記第１から第３までのいずれかの構成において、第２側面部の上辺（３０ｃ）は、第３折れ線と略平行に形成され、第２側面部の上辺は、第２折れ線よりも高さ方向において高い位置に設けられていることを特徴とする。よって、トレーを積み重ねた状態において、上側のトレーが下側のトレーから脱落するのを防止することができる。
【００２０】
また、第５には、上記第４の構成において、外側片部は、高さ方向において第２折れ線よりも上側の領域（４４−１）を有していることを特徴とする。よって、トレーを積み重ねた状態において、上側のトレーが下側のトレーから脱落するのを防止することができる。
【００２１】
また、第６には、上記第１から第５までのいずれかの構成において、下側領域は、横方向両側に底面部の角部から形成された直線状の辺部（２２ｂ）を有し、第１側面部が第２折れ線を介して折曲されておらず平板状の状態において、上側領域の第２側面部側の辺部（２４ｄ）は、該直線状の辺部の延長線よりも内側に形成されていることを特徴とする。よって、上側領域の第２側面部側の辺部は、第２側面部の内側の面よりも内側に間隔を介して設けられ、上側領域を下側領域に対して回動させる際に、上側領域が第２側面部に接触して、上側領域の回動に支障を来すことがない。
【００２２】
また、第７には、上記第１から第６までのいずれかの構成において、上側領域の上辺（２４ｆ）は、第２折れ線と平行に形成され、第１側面部が第２折れ線を介して折曲されておらず平板状の状態において、第２側面部の上辺よりも高い位置に形成されていることを特徴とする。よって、上側領域の上辺から第２折れ線までの長さを長く確保することができ、上側領域２４が、上側のトレーを載置するためのスペースを十分確保することができる。
【発明の効果】
【００２３】
本発明に基づくトレーによれば、爪部が第１側面部の上側領域に設けられているので、第１側面部が平板状の状態（通常状態）において、爪部が突出して邪魔になることがなく、また、上側領域を底面部と略平行とした場合（積重ね可能状態）でも、爪部は外側領域に内側から接するので、爪部が突出して邪魔になることがない。また、上側領域は、積重ね可能状態では、内側に突出した状態にはなるが、トレーの外側に突出するものではないため、邪魔にはならない。
【００２４】
また、通常状態、積重ね可能状態ともに、爪部が突出して邪魔になることがないので、容易に損傷することがない。
【００２５】
また、爪部の先端を外側片部の内側の面に係止させることにより、爪部を底面部と略平行に固定するので、爪部を強く固定させることができる。つまり、上側領域は第２折れ線を回動軸として回動し、爪部が係止する外側片部は第２折れ線と略平行な面であることから、爪部の先端（回動軸である第２折れ線の側から見て反対側）が外側片部に係止されるため、爪部の先端と外側片部とを強固に係止させることができる。
【図面の簡単な説明】
【００２６】
【図１】トレーの斜視図である。
【図２】トレーの側面図である。
【図３】トレーのＡ−Ａ断面図である。
【図４】トレーのＢ−Ｂ断面図である。
【図５】トレーの展開図である。
【図６】図５の要部拡大図である。
【図７】図５の要部拡大図である。
【図８】本実施例のトレーの使用方法を示す平面図である。
【図９】積重ね可能状態とした場合のトレーの平面図である。
【図１０】積重ね可能状態とした場合のトレーの斜視図である。
【図１１】図９のＣ−Ｃ断面図である。
【図１２】トレーを積み重ねた状態を示す斜視図である。
【発明を実施するための形態】
【００２７】
本発明においては、側面の一部を折り曲げて水平にすることにより積み重ね容易とするトレーであって、側面の一部を水平に係止するための部材や水平とされた側面の一部が突出して邪魔になることがなく、また、側面の一部を水平に係止するための部材が容易に損傷することがなく、さらには、側面の一部を強く水平に係止することができるものを提供するという目的を以下のようにして実現した。
【００２８】
本発明に基づくトレー（「紙製トレー」、「トレー状箱体」としてもよい）５は、図１〜図７に示すように構成され、底面部１０と、底面部１０の相対する辺部からそれぞれ連設された側面部２０と、底面部１０の他の相対する辺部からそれぞれ連設された側面部３０と、側面部２０と側面部３０間に設けられた折込み片部４０とを有している。
【００２９】
トレー５は、１枚の紙製のシート状のブランク（具体的には段ボール製（特に、両面段ボール製）であり、厚紙等でもよい）により形成されている。なお、両面段ボールにおける中芯の段の方向は、図５に示す円内に示す方向（底面部１０と側面部３０間の折れ線と平行な方向）である。なお、中芯の段の方向は、他の方向としてもよいが、図５に示す円内に示す方向とすることにより、中芯の段の方向を爪部２４−２の本体部２４−１からの突出方向として、爪部２４−２の強度を強く保つことができる。
【００３０】
ここで、底面部１０は、方形状（具体的には、長方形状）を呈している。なお、底面部１０は、正方形であってもよい。底面部１０は、互いに平行な相対する２つの辺部１０ａ、１０ｂと、辺部１０ａ、１０ｂと直角をなす互いに平行な他の相対する辺部１０ｃ、１０ｄとを有している。辺部１０ａと辺部１０ｂとで第１辺部群が構成され、辺部１０ｃと辺部１０ｄとで第２辺部群が構成される。
【００３１】
また、側面部（第１側面部）２０は、左右両側の辺部（Ｘ１側の辺部とＸ２側の辺部）から折れ線（第１折れ線）Ｃ１１、Ｃ１２を介して連設されている。左側面側（Ｘ１側）の側面部２０と右側面側（Ｘ２側）の側面部２０とは左右対称である以外は同一の構成であるので、左側面側の側面部２０を例にとって説明すると、側面部２０は、底面部１０から折れ線を介して連設された下側領域２２と、下側領域２２から折れ線（第２折れ線）Ｃ２０を介して連設された上側領域２４とを有している。折れ線Ｃ２０は、折れ線Ｃ１１と平行に形成されている。
【００３２】
ここで、下側領域２２は、底面部１０の左側面側の辺部と一致して形成された直線状の辺部２２ａと、辺部２２ａの両側の端部（すなわち、底面部１０の左側面側の２つの角部）から形成された直線状の辺部２２ｂと、辺部２２ｂの辺部２２ａとは反対側の端部から連設され、略円弧状に形成された辺部２２ｃと、辺部２２ｃの辺部２２ｂとは反対側の端部から形成され、下側領域２２と上側領域２４間の切込みＫ１１に沿って形成された辺部２２ｄと、一対の辺部２２ｄの辺部２２ｃとは反対側の端部間に形成された直線状の辺部２２ｅとにより囲まれた形状を呈している。なお、下側領域２２においては、辺部２２ｂ〜辺部２２ｄは一対ずつ設けられている。
【００３３】
ここで、辺部２２ａは、底面部１０と側面部２０間の折れ線Ｃ１１と一致して形成されている。また、１つの下側領域２２における一対の辺部２２ｂは、該一対の辺部２２ｂ間の間隔が辺部２２ａから離れるに従い長くなるようにテーパ状に形成されている。つまり、辺部２２ａと辺部２２ｂ間の角度α１１は、鈍角を形成する。
【００３４】
また、辺部２２ｃは、辺部２２ｂと辺部２２ｄ間の角部に扇状の切欠きを形成することにより形成され、辺部２２ｃ側にいくほど上側に向けてカーブしている。つまり、辺部２２ｃを構成する略円弧状における中心は、下側領域２２の外側に位置するといえる。この辺部２２ｃが形成されていることにより、上側領域２４における辺部２４ｂと辺部２４ｃ間の角部は、辺部２２ｂの延長線よりもやや内側に位置する。
【００３５】
また、辺部２２ｄは、辺部２２ｃの端部から連設された直線状の辺部２２ｄ−１と、該直線状の辺部２２ｄ−１の辺部２２ｃとは反対側の端部から連設された略円弧状の辺部２２ｄ−２とを有し、略円弧状の辺部２２ｄ−２は、辺部２２ｅ側にいくほど上側に向けてカーブしている。
【００３６】
また、辺部２２ｅは、下側領域２２と上側領域２４間の折れ線Ｃ２０と一致して形成されている。
【００３７】
また、上側領域２４は、下側領域２２の辺部２２ｅと一致して形成された直線状の辺部２４ａと、辺部２４ａの両側の端部から形成され、切込みＫ１１に沿って形成された辺部２４ｂと、辺部２４ｂの辺部２４ａとは反対側の端部から連設され、略円弧状を呈する辺部２４ｃと、辺部２４ｃの辺部２４ｂとは反対側の端部から連設され、直線状を呈する辺部２４ｄと、辺部２４ｄの辺部２４ｃとは反対側の端部から連設され、略円弧状を呈する辺部２４ｅと、一対の辺部２４ｅの辺部２４ｄとは反対側の端部間に形成された直線状の辺部２４ｆとにより囲まれた形状を呈している。なお、上側領域２４においては、辺部２４ｂ〜辺部２４ｅは一対ずつ設けられている。上側領域２４は、折れ線Ｃ２０の延長線を介して、本体部２４−１と爪部２４−２とに区画され、爪部２４−２は、本体部２４−１の両側の端部から下方に突出して形成されている。つまり、上側領域２４が、折れ線Ｃ２０よりも折れ線Ｃ１１側に突出して形成された爪部２４−２を上側領域２４の横方向両側の端部領域（Ｙ１側の端部領域とＹ２側の端部領域）に有している。なお、爪部２４−２は、辺部２４ｂと辺部２４ｃと辺部２４ｄ（辺部２４ｄの一部）と折れ線Ｃ２０の延長線により囲まれた領域である。
【００３８】
ここで、辺部２４ａは、下側領域２２と上側領域２４間の折れ線Ｃ２０と一致して形成されている。また、辺部２４ｂは、辺部２４ａの端部から形成された略円弧状の辺部２４ｂ−１と、略円弧状の辺部２４ｂ−１の辺部２４ａとは反対側の端部から連設された直線状の辺部２４ｂ−２とを有し、略円弧状の辺部２４ｂ−１は、辺部２４ａ側の端部位置では下方に形成され、辺部２４ｃ側にいくほど外側横方向（一対の辺部２４ａ−１において、正面側の辺部２４ａ−１は、正面側への横方向、背面側の辺部２４ａ−１は、背面側への横方向）に向けてカーブしている。なお、ここでいう外側横方向における「外側」とは、側面部２０における外側を意味する。
【００３９】
なお、下側領域２２と上側領域２４間に形成された切込みＫ１１は、折れ線Ｃ２０の端部と側面部２０の側端の間に形成され、切込みＫ１１は、側面部２０の外側の端部（側面部２０の側端）から直線状に形成された直線状部Ｋ１１−１と、直線状部Ｋ１１−１の内側の端部から形成され、折れ線Ｃ２０側にいくほど上側に向けてカーブした円弧状部Ｋ１１−２とを有している。なお、直線状部Ｋ１１−１は、側面部２０の外側から内側にいくに従い上側となるように、折れ線Ｃ１１に対して傾斜して形成されている。また、円弧状部Ｋ１１−２は、切込みＫ１１における内側への破断を防止するために形成されている。爪部２４−２は、切込みＫ１１を介して下側領域２２と隣接している。
【００４０】
また、辺部２４ｃは、爪部２４−２の先端（つまり、辺部２４ｂと辺部２４ｄとにより形成される角部の先端）に形成され、該爪部２４−２の先端に丸みを形成している。なお、辺部２４ｃは、辺部２２ｂの延長線よりも内側に形成されている（つまり、トレー５の展開状態では、辺部２４ｃは、辺部２２ｂの延長線よりも内側に形成されている）。また、トレー５の組立て状態（特に、通常状態（後述））において、爪部２４−２の先端は、側面部３０の内側の面と前後方向（Ｙ１−Ｙ２方向）に間隔を介して形成されている。
【００４１】
また、辺部２４ｄは、トレー５の展開状態で、辺部２２ｂ（つまり、折れ線Ｃ４１）の延長線よりも内側に形成され、辺部２４ｄと該延長線間には、隙間Ｓ１が形成されている。また、トレー５の組立て状態（すなわち、組立て状態における通常状態（後述））において（通常状態では、側面部２０は、折れ線Ｃ２０を介して折曲されておらず平板状の状態となっている）、辺部２４ｄは、側面部３０の内側の面と略平行に形成され、辺部２４ｄは、側面部３０の内側の面と間隔Ｓ２を介して形成されている（図４参照）。つまり、上側領域２４の両側の辺部２４ｄ（上側領域の第２側面部側の辺部）は、側面部３０の内側の面よりも内側に間隔Ｓ２を介して設けられている。これにより、上側領域２４を下側領域２２に対して回動させる際に、上側領域２４が側面部３０に接触して、上側領域２４の回動に支障を来すことがない。
【００４２】
また、辺部２４ｆは、折れ線Ｃ１１、Ｃ２０と平行（略平行としてもよい）に形成されている。辺部２４ｆは、側面部２０の上辺とともに、上側領域２４の上辺となる。
【００４３】
また、上側領域２４の折れ線Ｃ２０の方向の長さ（最大長さ）は、底面部１０の折れ線Ｃ１１、Ｃ１２の方向の長さよりも長く形成されている。
【００４４】
また、右側面側の側面部２０は、左側面側の側面部２０とは左右対称に形成されている以外は同様の構成であるので、詳しい説明を省略する。
【００４５】
また、側面部（第２側面部）３０は、前後両側の辺部（Ｙ１側の辺部とＹ２側の辺部）から折れ線（第３折れ線）Ｃ１３、Ｃ１４を介して連設され、正面側（Ｙ１側）の側面部３０と背面側（Ｙ２側）の側面部３０とは前後対称である以外は同一の構成であるので、正面側の側面部３０を例にとって説明すると、側面部３０は、台形形状に形成され、底面部１０の正面側の辺部と一致して形成された直線状の辺部３０ａと、辺部３０ａの両側の端部（すなわち、底面部１０の正面側の２つの角部）から形成された直線状の辺部３０ｂと、一対の辺部３０ｂの辺部３０ａとは反対側の端部間に形成された直線状の辺部３０ｃとにより囲まれた形状を呈している。なお、側面部３０においては、辺部３０ｂは一対設けられている。
【００４６】
ここで、辺部３０ａは、底面部１０と側面部３０間の折れ線Ｃ１３と一致して形成されている。また、一対の辺部３０ｂは、該一対の辺部３０ｂ間の間隔が辺部３０ａから離れるに従い長くなるようにテーパ状に形成されている。つまり、辺部３０ａと辺部３０ｂ間の角度α１３は、鈍角を形成する。なお、角度α１１と角度α１３とは、同一（略同一としてもよい）に形成されている。
【００４７】
また、側面部３０の折れ線Ｃ１３と直角方向の長さＬ３０は、側面部２０の折れ線Ｃ１１と直角方向の長さＬ２０よりも短く形成されるとともに、下側領域２２の折れ線Ｃ１１と直角方向の長さＬ２２よりも長く形成されていて、これにより、トレー５の組立て状態（すなわち、組立て状態における通常状態（後述））において、図４に示すように、高さ方向において、側面部３０の上辺（辺部３０ｃ）は、側面部２０の上辺（辺部２４ｆ）よりも低い位置にあるとともに、折れ線Ｃ２０よりも高い位置にある。これにより、上側領域２４を下側領域２２に対して回動させて、上側領域２４を底面部１０に対して平行にして水平方向にした場合（つまり、積重ね可能状態（後述）の場合）には、側面部３０の上端は、図１１に示すように、上側領域１０よりも高い位置にある。
【００４８】
また、折込み片部４０は、側面部２０と側面部３０間に折れ線を介して連設され、具体的には、折込み片部４０は、側面部２０における下側領域２２の辺部２２ｂから折れ線（第４折れ線）Ｃ４１を介して連設されるとともに、側面部３０における辺部３０ｂから折れ線（第５折れ線）Ｃ４２を介して連設されている。
【００４９】
折込み片部４０は底面部１０の角部に応じて４つ設けられ、前後方向に位置する折込み片部４０は互いに前後対称であり、左右方向に位置する折込み片部４０は互いに左右対称となる以外は同様の構成であるので、正面及び左側面側の角部に位置する折込み片部４０を例にとって説明すると、図５、図７等に示すように、折込み片部４０は、底面部１０の角部から形成された折れ線（第６折れ線）Ｃ４３を介して区画され、折れ線Ｃ４３よりも側面部２０側の領域が内側片部４２となり、折れ線Ｃ４３よりも側面部３０側の領域が外側片部４４となる。なお、折れ線Ｃ４１と折れ線Ｃ４３間の角度は、折れ線Ｃ４２と折れ線Ｃ４３間の角度と同一であり、トレー５の展開状態において、折れ線Ｃ４３と折れ線Ｃ１１間の角度（鈍角）と折れ線Ｃ４３と折れ線Ｃ１３間の角度（鈍角）とは、同一（１３５度）に形成されている。
【００５０】
ここで、内側片部４２は、折れ線Ｃ４１と一致した直線状の辺部４２ａと、折れ線Ｃ４３と一致した直線状の辺部４２ｃと、辺部４２ａの上端（底面部１０の角部側とは反対側の端部）と辺部４２ｃの上端（底面部１０の角部側とは反対側の端部）間に形成された直線状の辺部４２ｂとにより囲まれた形状を呈し、この辺部４２ｂは、トレー５の組立て状態（通常状態及び積重ね可能状態（後述））において、切込みＫ１１の直線状部Ｋ１１−１と平行（略平行としてもよい）となる。つまり、高さ方向において、辺部４２ｂは、直線状部Ｋ１１−１の下側に位置し、爪部２４−２の切込みＫ１１−１に沿った辺部２４ｂ−１は、内側片部４２の上辺である辺部４２ｂよりも高さ方向において上側に位置していて、爪部２４−２は、上側領域２４が回動させる際に爪部２４−２が内側片部４２に接触しないように、内側片部４２よりも高さ方向において上側に位置している。つまり、通常状態において、爪部２４−２は、横方向において、内側片部４２と対向せず外側片部４４と対向し（例えば、図４に示すように、側面部２０の内側から底面部１０と平行な方向で折れ線Ｃ１３、Ｃ１４の方向から透視した場合に、内側片部４２は爪部２４−２と重なっていない。逆の方向（側面部２０の外側）から透視した場合も同様である。）、上側領域２４が下側領域２２に対して回動した際には、爪部２４−２は内側片部４２と接触しないようになっている。なお、側面部２０の面と直角の方向から透視した場合に、内側片部４２は爪部２４−２と重なっていないものとしてもよい。
【００５１】
また、外側片部４４は、折れ線Ｃ４２と一致した直線状の辺部４４ａと、辺部４４ａの底面部１０の角部側とは反対側の端部から連設された直線状の辺部４４ｂと、辺部４４ｂの辺部４４ａとは反対側の端部から連設された直線状の辺部４４ｃと、辺部４４ｃの辺部４４ｂとは反対側の端部から連設されるとともに、折れ線Ｃ４３と一致した直線状の辺部４４ｄとにより囲まれた形状を呈し、トレー５の組立て状態（通常状態及び積重ね可能状態（後述））において、辺部４４ｂは、辺部４４ａ側から辺部４４ｃ側にいくほど下側となるように傾斜し、辺部４４ｃは、辺部４４ｂ側から辺部４４ｄ側にいくほど下側となるように傾斜し、水平方向（折れ線Ｃ１１の方向）に対する傾斜角度は、辺部４４ｃの方が辺部４４ｂよりも大きくなっている。
【００５２】
外側片部４４は、高さ方向において折れ線Ｃ２０よりも上側の領域４４−１を有している（図２参照）。
【００５３】
なお、トレー５の組立て状態（通常状態及び積重ね可能状態（後述））において、折込み片部４０は、トレー５の外側から見て折れ線Ｃ４３を介して山折りにされ、内側片部４２が下側領域２２の外側の面に接着されている。つまり、折れ線Ｃ４１は、トレー５の外側から見て谷折りとなって、内側片部４２が下側領域２２の外側の面に接着し、外側片部４４は、内側片部４２の外側に位置している。なお、折れ線Ｃ４２は、トレー５の外側から見て山折りとなっている。なお、内側片部４２の下側領域２２への接着に際しては、内側片部４２の下側領域２２側の全面が下側領域２２に接着されたものとするのが好ましい。
【００５４】
また、背面及び左側面側の角部に位置する折込み片部４０は、正面及び左側面側の角部に位置する折込み片部４０と前後対称である以外は同様の構成であり、正面及び右側面側の角部に位置する折込み片部４０は、正面及び左側面側の角部に位置する折込み片部４０と左右対称である以外は同様の構成であり、さらに、背面及び右側面側の角部に位置する折込み片部４０は、背面及び左側面側の角部に位置する折込み片部４０と左右対称である以外は同様の構成であるので、詳しい説明を省略する。
【００５５】
４つの折込み片部４０において、内側片部４２が下側領域４２の外側の面に接着されていることにより、２つの側面部２０と２つの側面部３０とが底面部１０に対して立設した状態となっている。つまり、通常状態（下側領域２２と上側領域２４とを面一とした状態（つまり、側面部２０を折れ線Ｃ２０で折曲されておらず１枚の平板状とした状態）で、図１〜図３に示す状態）において、側面部２０と側面部３０の内側の面とは、底面部１０の上面に対して鈍角をなし、２つの側面部２０間の間隔は、上側にいくほど長くなり、２つの側面部３０間の間隔は、上側にいくほど長くなる。つまり、トレー５においては、上方にいくほど横断面積が大きくなるように形成されている。
【００５６】
上記構成のトレー５の使用方法について説明する。まず、通常状態においては、トレー５は、図１〜図３に示すように構成されるので、積み重ねた状態で保管や運搬を行なうことができ、この通常状態では、上下に隣接するトレー５の底面部１０は互いに近接した状態となっている。つまり、通常状態では、後述する積重ね可能状態と比べて、上下に隣接するトレー５の底面部１０同士の距離が短くなっている。
【００５７】
この通常状態のトレー５においては、通常のトレーの場合と同様に、内部に被収納物を収納して使用する。通常のトレーの場合と比べると、側面部２０の上端が側面部３０の上端よりも上方に突出している以外は同様の構成であるので、トレー５を構成するいずれかの部分が突出して邪魔になることがない。特に、上側領域２４を水平に係止するための部材である爪部２４−２は、切込みＫ１１を介して下側領域２２と隣接しており、爪部２４−２を含む側面部２０は、全体に１枚のシート状に形成されているので、爪部２４−２が突出して露出することがなく、よって、爪部２４−２が邪魔になることがなく、また、爪部２４−２が容易に損傷することがない。
【００５８】
次に、トレー５を積重ね可能状態にするには、上側領域２４を該上側領域２４から連設された下側領域２２に対して内側に折曲し、爪部２４−２を外側片部４４に係止させて、上側領域２４を底面部１０に対して平行（略平行としてもよい）とする。すなわち、図８に示すように、側面部２０に両手をつかんだ状態で、親指で上側領域２４を内側に押し込むことにより上側領域２４を下側領域２２に対して内側に折り曲げる。すると、爪部２４−２が外側に回動して、爪部２４−２の先端（辺部２４ｃの位置）が外側片部４４に接触し、爪部２４−２が回動するに従い、爪部２４−２の先端が外側（下側領域２２よりも外側）に徐々に突出する。すると、爪部２４−２の下側領域２２よりも外側への水平方向の長さが長くなるに従い（つまり、爪部２４−２が水平方向に近づくに従い）、内側片部４２が外側片部４４に対して内側に回動し（つまり、外側片部４４と内側片部４２の折れ線Ｃ４３を介した角度が大きくなる）、下側領域２２が底面部１０に対する直角方向となる方向に立ち上がってくる（つまり、下側領域２２と底面部１０間の鈍角の角度が小さくなり、直角に近くなる）。下側領域２２は内側片部４２と接着されているので、下側領域２２が立ち上がってくるに従い、下側領域２２が元の状態（通常状態における状態）に復帰しようとする力が強くなる。
【００５９】
その後、上側領域２４が底面部１０と平行な状態に近くなってくると、爪部２４−２の先端が外側片部４４に係止するようになり、上側領域２４が底面部１０と平行な状態に近くなるほど、爪部２４−２先端の外側片部４４への係止が強くなり、上側領域２４が底面部１０と平行になった位置（上側領域２４が水平方向となった位置）で、爪部２４−２はの先端は最も外側に突出するので、爪部２４−２が、最も強い力で係止し、爪部２４−２を強い力で固定することができる。
【００６０】
特に、上側領域２４を底面部１０と平行な位置（つまり、水平状態）でよりもさらに内側に回動させることにより、爪部２４−２の先端を折れ線Ｃ２０よりも高さ方向において若干上側に位置させた状態で、上側領域２４を回動させた手を離すと、爪部２４−２は復帰しようとして、爪部２４−２は、上側領域２４が水平の状態で固定される。
【００６１】
以上のように、上側領域２４を水平方向（略水平方向としてもよい）にすることにより、図９〜図１１に示す状態なり、トレー５を積重ね可能状態とすることができる。
【００６２】
積重ね可能状態では、爪部２４−２は外側片部４４に内側から接し、爪部２４−２は、外側片部４４と上側領域２４の本体部２４−１の間に存在するので、爪部２４−２は突出して露出することがなく、よって、爪部２４−２が邪魔になることがなく、また、爪部２４−２が容易に損傷することがない。
【００６３】
積重ね可能状態では、上側領域２４が底面部１０と平行（略平行としてもよい）となっているので、上側領域２４の上に他のトレー５の底面部１０を載せることにより、図１２に示すように、２つのトレー５を積み重ねることができる。つまり、２つの上側領域２４が、他のトレー５の底面部１０を載置するための台部となる。
【００６４】
なお、トレー５においては、上方にいくほど横断面積が大きくなるように形成されていて、また、上側領域２４の折れ線Ｃ２０の方向の長さ（最大長さ）は、底面部１０の折れ線Ｃ１１、Ｃ１２の方向の長さよりも長く形成されているので、上側のトレー５を下側のトレー５に積み重ねる際に上側のトレー５の位置を厳密にする必要がなく、トレー５を容易に積み重ねることができる。
【００６５】
また、側面部３０の上端は折れ線Ｃ２０よりも高い位置にあり、外側片部４４は、高さ方向において折れ線Ｃ２０よりも上側の領域４４−１を有しているので、積重ね可能状態においては、側面部３０と外側片部４４が上側領域４４よりも上方に突出し、上側に積み重ねたトレー５は、前後方向にスライドした場合には側面部３０に接触し、左右方向にスライドした場合には外側片部４４に接触し、上側のトレー５が下側のトレー５から脱落するのを防止することができる。
【００６６】
また、側面部２０の上辺（辺部２４ｆ）は、側面部３０の上辺（辺部３０ｃ）よりも高い位置にあるので、上側領域２４の折れ線Ｃ２０から辺部２４ｆまでの長さを長く確保することができ、上側領域２４が、上側のトレー５を載置するためのスペースを十分確保することができる。
【００６７】
なお、積重ね可能状態では、下側領域２２は底面部１０に対して直角（略直角としてもよい）となるようにするのが好ましい。つまり、下側領域２２は底面部１０に対して直角（略直角としてもよい）とすることにより、水平方向の上側領域２４の底面部１０に対する高さ方向の長さを長く確保できるので、トレー５を積み重ねた場合の収納空間を大きく確保することができるとともに、下側領域２２が底面部１０に対して内側に傾斜することにより被収納物に接触するおそれを防止することができる。
【００６８】
積重ね可能状態のトレー５の上にトレー５を積み重ねることにより、通常状態のトレー５を積み重ねた場合に比べて、下側のトレー５の底面部１０と上側のトレー５の底面部１０間の長さを長く確保することができ、下側のトレー５に収納空間を確保した状態で、トレー５を積み重ねることができる。
【００６９】
なお、実際には、通常状態のトレー５（１番目のトレー５とする）に被収納部を収納し、その後、上側領域２４を下側領域２２に対して折曲して積重ね可能状態とし、その後、通常状態のトレー５（２番目のトレー５とする）を１番目のトレー５に積み重ねた状態で、被収納物を収納して、該２番目のトレー５を積重ね可能状態にするという操作を繰り返して、トレー５を積み重ねていけばよい。なお、通常状態のトレー５を積重ね可能状態のトレー５に積み重ねた状態で被収納物を収納するとしたが、被収納物を収納した後に積重ね可能状態としたトレー５を積み重ねてもよい。また、被収納物を収納してから上側領域２４を折曲して積重ね可能状態とするとしたが、積重ね可能状態としてから被収納物を収納してもよい。
【００７０】
以上のように、本実施例のトレー５によれば、通常状態及び積重ね可能状態において、爪部２４−２（つまり、側面部２０の一部を水平に係止するための部材）が邪魔になることがなく、また、爪部２４−２が容易に損傷することがない。これに対して、特許文献２における切欠き９の上側部分や係止用つめ１１は、外側に露出して突出しているので、邪魔となり（つまり、通常の使用に際して、手、周辺物品（棚、テーブル等）にぶつける可能性があり、邪魔となる）損傷のおそれがあるが、本実施例における爪部２４−２はそのようなおそれがない。
【００７１】
また、上側領域２４は、積重ね可能状態では、内側に突出した状態にはなるが、トレー５の外側に突出するものではないため、邪魔にはならない。これに対して、特許文献１のフランジ３は、フランジ３を水平にした状態では、外側に突出するので、邪魔となる（つまり、通常の使用に際して、手、周辺物品（棚、テーブル等）にぶつける可能性があり、邪魔となる）。
【００７２】
また、爪部２４−２の先端を外側片部４４の内側の面に係止させることにより、爪部２４−２を底面部１０と平行に固定するので、爪部２４−２を強く固定させることができる。つまり、上側領域２４は折れ線Ｃ２０を回動軸として回動し、爪部２４−２が係止する外側片部４４は折れ線Ｃ２０と略平行な面であることから、爪部２４−２の先端（回動軸である折れ線Ｃ２０の側から見て反対側）が外側片部４４に係止されるため、爪部２４−２の先端と外側片部４４とを強固に係止させることができる。つまり、上記特許文献１ののトレー状容器の場合に比べて、上側領域２４（他のトレー５を載置する部材）を強固に係止させることができる。
【００７３】
また、爪部２４−２が折れ線Ｃ２０と直角の方向に突出する長さを長くすることにより、爪部２４−２を強く外側片部４４に係止させることができる。なお、爪部２４−２の突出長さを必要以上に長くしてしまうと、内側片部４２と下側領域２２との接着が剥がれてしまうおそれや、下側領域２２が底面部１０に対して内側に傾斜してしまうおそれがある（下側領域２２が内側に傾斜すると、下側領域２２が被収納物に接触するおそれがあり、水平方向の上側領域２４の高さが低くなってしまうおそれがある）ので、爪部２４−２の突出長さは、積重ね可能状態で下側領域２２が底面部１０に対して直角（略直角としてもよい）となるように定めるのが好ましく、また、内側片部４２と下側領域２２との接着が剥がれることがないように定めるものとする。
【００７４】
また、積重ね可能状態において、上側領域２４（水平とされた側面部２０の一部）は、トレー５の外側に突出することがないので、水平とされた部分が邪魔になることがない。
【００７５】
また、側面部２０において、下側領域２２と上側領域２４とは、折れ線Ｃ２０と切込みＫ１１により区画された構成であるので、側面部２０を通常のトレーと同様の見栄えとすることができ、トレー５全体としても、側面部２０が側面部３０よりも突出している以外は、通常のトレーと同様の見栄えとすることができる。また、側面部２０は、下側領域２２と上側領域２４とは、折れ線Ｃ２０と切込みＫ１１により区画された構成であるので、側面部２０の製造コストは大きくなく、トレー５全体としても製造コストが大きくない。
【符号の説明】
【００７６】
５  トレー
１０  底面部
２０、３０  側面部
２２  下側領域
２４  上側領域
２４−１  本体部
２４−２  爪部
４０  折込み片部
４２  内側片部
４４  外側片部
Ｋ１１  切込み
Ｃ１１、Ｃ１２、Ｃ１３、Ｃ１４、Ｃ２０、Ｃ４１、Ｃ４２、Ｃ４３  折れ線
【図１】
2017030850.tif 000003
【図２】
2017030850.tif 000004
【図３】
2017030850.tif 000005
【図４】
2017030850.tif 000006
【図５】
2017030850.tif 000007
【図６】
2017030850.tif 000008
【図７】
2017030850.tif 000009
【図８】
2017030850.tif 000010
【図９】
2017030850.tif 000011
【図１０】
2017030850.tif 000012
【図１１】
2017030850.tif 000013
【図１２】
2017030850.tif 000014